(57)【要約】【課題】指輪の環状体の内側に弾力性のある指輪止め或いは複数の凸部を設けて指輪の移動を防止するものにあっては、長時間にわたる指輪の装着により当該装着位置における指の付け根部が該指輪止めや複数の凸部により圧迫され、当該部分が鬱血するおそれがあった。【解決手段】環状体の内側の腹部側の中心位置より左右に所定間隔を有して先端部を滑らかな曲面とした２個の突起を設けたことを特徴とする指輪。【選択図】図３
2006167041.tif 000002
【特許請求の範囲】
【請求項１】
環状体の内側の腹部側の中心位置より左右に所定間隔を有して先端部を滑らかな曲面とした２個の突起を設けたことを特徴とする指輪。
【請求項２】
環状体の内側頂部と２個の突起の先端とを結んで形成される円の直径を装着される指の最大太さよりやや小としたことを特徴とする請求項１に記載の指輪。
【請求項３】
左右２個の突起の突出方向を、指の腹側を挟持する方向としたことを特徴とする請求項１又は２のいずれかに記載の指輪。
【請求項４】
左右２個の突起の突出方向を、環状体の芯と腹部の中心位置とを結ぶ線上の一点をその方向としたことを特徴とする請求項１ないし３のいずれかに記載の指輪。
【請求項５】
２個の突起を環状体の内側頂部の反対位置となる腹部の中心位置より左右へ等間隔に離して設けてなることを特徴とする請求項１ないし４のいずれかに記載の指輪。
【請求項６】
左右２個の突起の突出方向を延長した交差位置における突起側の交差角度を８０°〜１８０°の範囲としたことを特徴とする請求項１ないし５のいずれかに記載の指輪。
【請求項７】
指輪の製造時或いはサイズ直し時に、該指輪が取着される指の最大径となる箇所の太さを想定又は実際に計測し、該指の最大径より指輪の環状体の内側頂部と２個の突起の先端とを結んで形成される円の直径がやや小さくなるように該突起をろう付け等により取り付け、該突起の取り付けは、該突起の突出方向が環状体の芯と腹部の中心位置とを結ぶ線上の一点となるようにしたことを特徴とする指輪の加工方法。
【発明の詳細な説明】
【技術分野】
【０００１】
本発明は、指輪の指への装着位置において、移動或いは回転等によって当該装着位置よりずれることのない固定度の良好な指輪及びその加工方法を提供するものである。
【背景技術】
【０００２】
従来、使用者における指輪の環状体の内径サイズは、装着位置に到達するまでに指の最も太い箇所を通過することができるかどうか或いは装着位置の指の太さで決定されている。通常、指輪が装着される指の付け根部分より、該付け根部分に至る指の関節である第二関節の方が太いことが多い。従って、採用される指輪の環状体の内径は、当該関節を通過できるサイズで決定されることになる。これにより、該関節を通過した指輪の環状体は、指の付け根の装着位置では当該部分の指の径より環状体の内径が大きいことになり、該指輪が指の先端側へ移動したり回転現象等を生じさせていた。
【０００３】
上記現象を防止するべく、装着される指の太さより大径の環状体よりなる指輪の内側に別途弾力性のある板バネを取着し、指の太さに適応できる調整機能を有する指輪が創案されている。例えば、登録実用新案公報第３００６２０３号では、指を挿入する環状体の内周面に突起又は穴を設け、該内周面に沿った円弧状に形成した弾力性のある指輪止めを、その一端側を該内周面上に浮かせた状態で前記突起又は穴の部分にろう付けした指輪が開示されている。
【０００４】
他方、特開２００２−１０１９２７号公報では、指を挿入する環状体の内周面に、該環状体の内方に向かって突出した複数の凸部を設け、指輪が装着される位置での該指輪の回転を防止する技術が開示されている。
【特許文献１】登録実用新案公報第３００６２０３号
【特許文献２】特開２００２−１０１９２７号公報
【発明の開示】
【発明が解決しようとする課題】
【０００５】
上記指輪の環状体の内側に弾力性のある指輪止め或いは複数の凸部を設けて指輪の移動を防止するものにあっては、長時間にわたる指輪の装着により当該装着位置における指の付け根部が該指輪止めや複数の凸部により圧迫され、当該部分が鬱血するおそれがあった。また、鬱血しないまでも指が圧迫され、長時間の装着には耐えられない痛さや痒み或いは違和感を生じていた。
【課題を解決するための手段】
【０００６】
上記問題点を解決するために、本発明は、指に挿入される指輪の環状体の内周面に、指を挟むようにして突出した２個の突起を設けたものである。具体的には、環状体の内側の腹部側の中心位置より左右に所定間隔を有して先端部を滑らかな曲面とした２個の突起を設けた指輪を特徴とする。
【０００７】
また、環状体の内側頂部と２個の突起の先端とを結んで形成される円の直径を装着される指の最大太さよりやや小とした指輪を特徴とする。
【０００８】
更に、左右２個の突起の突出方向を、指の腹側を挟持する方向とした指輪を特徴とする。
【０００９】
また、左右２個の突起の突出方向を、環状体の芯と腹部の中心位置とを結ぶ線上の一点をその方向とした指輪を特徴とする。
【００１０】
更に、２個の突起を環状体の内側頂部の反対位置となる腹部の中心位置より左右へ等間隔に離して設けてなる指輪を特徴とする。
【００１１】
また、左右２個の突起の突出方向を延長した交差位置における突起側の交差角度を８０°〜１８０°の範囲とした指輪を特徴とする。
【００１２】
更に、指輪の製造時或いはサイズ直し時に、該指輪が取着される指の最大径となる箇所の太さを想定又は実際に計測し、該指の最大径より指輪の環状体の内側頂部と２個の突起の先端とを結んで形成される円の直径がやや小さくなるように該突起をろう付け等により取り付け、該突起の取り付けは、該突起の突出方向が環状体の芯と腹部の中心位置とを結ぶ線上の一点となるようにした指輪の加工方法を特徴とする。
【発明の効果】
【００１３】
本発明は、指輪の環状体の内径の大きさ、突起の取着位置及び該突起の突出方向を特定することを創造したことにより、指輪の装着位置において指の先端側への移動や回転等を生じるおそれがなくなった。
【００１４】
また、指輪の装着位置において、指の腹側を左右方向から曲面接触でゆるやかに挟持することができるので、指に対する圧迫感が少なく、長時間の装着に対しても鬱血等の心配がなくなった。
【００１５】
更に、指の付け根部表面と指輪の環状体の内側との間にわずかな間隙を形成することができ、発汗或いは手を洗うこと等によって指と指輪間に付着した水分を逃す微細空間とすることが可能となった。
【発明を実施するための最良の形態】
【００１６】
本発明に係る指輪について図面に基づいて以下に説明する。
【実施例】
【００１７】
図１は、本発明の指輪１の正面図である。該指輪１は、装飾部２等を含め指の甲側に位置する部位、指輪の指への取り付け手段となる環状体３及び該環状体３の内側の腹部側に設けた２個の突起４、４´とより構成している。
【００１８】
上記指輪１は、指の甲側に位置するところを主たる装飾部２とすることが多く、当該装飾部２が指の付け根部の甲側の所定位置に留まる状態を最良とする。
【００１９】
通常、指輪１の環状体３の内径は装着する指の最大太さにより決まることになるが、指の最大太さが第二関節となる場合、環状体３の主たる装飾部２の裏側となる内側頂部と２個の突起４、４´を結んで形成される円の直径Ｈが該第二関節を通過することがその指に適用できる指輪となる。
【００２０】
該突起４、４´は、一体的或いはろう付け等により環状体３の内側より突出され、該環状体３の内側頂部とは反対位置となる腹部の中心位置より左右へ所定間隔を離して２個設けている。等間隔に離した位置が最適である。
【００２１】
上記環状体３の内側頂部と２個の突起４、４´の先端とを結んで形成される円の直径Ｈは、指の甲側の部分と腹側の部分とでは柔軟性が異なるので、該突起４、４´を指の腹側に位置させることにより、上記直径Ｈが指の第二関節部分の最大太さ部分よりやや小径としても、指輪の通過時に一時的に指の皮と肉とを押しつぶすことができ（図の一点鎖線）、該直径Ｈは指の最大太さよりやや小径とすることができる。
【００２２】
該２個の突起４、４´は、装着位置において指を左右から挟持する位置に設けることになるが、指の甲側には骨が存在するので、腹側に２個の突起４、４´を設ける。該突起４、４´で腹側を左右より挟持することにより、指に対する刺激を弱くすると同時に、２個の突起４、４´のみにより指輪が装着位置より移動することの防止を確実に成し得ることができる。
【００２３】
更に、各々の突起４、４´の突出方向は、環状体３の芯６と腹部の中心位置とを結ぶ線上の一点をその方向としたものとする。従って、その一点は、突起４、４´側にずれた位置を突起中心部７とする。従って、２個の突起４、４´は、該突起中心部７に向かって突出するように形成する。
【００２４】
上記２個の突起４、４´は、その先端部を滑らかな突出曲面形となるように形成する。また、該突起４、４´の全体形状は、半球形のもの、円柱の上端に半球形状のものを設けたもの、円柱に代えて角柱等の形状のもの等、様々な形状のものが採用される。曲面の曲率は円滑状態により適宜選択することができる。
【００２５】
上記突起４、４´の位置の最良のものを具体的に示すと、突起の突出方向は、上記の通り突起中心部７に向かって突出するように形成し、更に、突出方向を延長した交差位置における突起側の交差角度αを８０°〜１８０°の範囲とする。上記角度により該突起４、４´が指の腹側を左右より挟持することが可能となる。
【００２６】
上記実施例で示した構成となる指輪を加工するには以下の方法を採用する。
指輪の製造時或いは指輪のサイズ直し時に、該指輪が取着される指の最大径となる第二関節や付け根部の太さを該製造時にあっては想定し、サイズ直し時にあっては実際に計測し、指輪の環状体の内側頂部と２個の突起の先端とを結んで形成される円の直径Ｈが上記指の最大径よりやや小さくなるようにして該突起をろう付け等により取り付け、該突起の取り付けは、該突起の突出方向が環状体の芯と腹部の中心位置とを結ぶ線上の一点となるようにして加工する。
【００２７】
上記の通り、指輪１の環状体３の内径の大きさ、突起４、４´の位置及び該突起４、４´の突出方向により指輪１の装着位置において該指輪１が移動することなく確実に固定されることになる。
【図面の簡単な説明】
【００２８】
【図１】本発明の指輪の正面図。
【図２】本発明の指輪を第二関節を通過させるときの状態の正面図。
【図３】本発明の指輪の装着位置での指との関係を示す正面図。
【符号の説明】
【００２９】
１                           指輪
２                           装飾部
３                           環状体
４、４´                     突起
５                           円
６                           芯
７                           突起中心部
【図１】
2006167041.tif 000003
【図２】
2006167041.tif 000004
【図３】
2006167041.tif 000005